(57)【特許請求の範囲】
【請求項１】
紐体引出部と１本の紐体とから成り、前記紐体の一端を前記紐体引出部内に固定し、前記紐体引出部からペットの首部、両前脚部にそれぞれ装着するための３つのループ部をそれぞれ引き出し可能としたペット用装着具であって、
前記紐体引出部は、蓋部と側壁部とから成り、前記側壁部から前記３つのループ部をそれぞれ引き出し可能とし、前記蓋部又は側壁部から前記紐体の他端を外側に延出したことを特徴とするペット用装着具。
【請求項２】
前記３つのループ部は前記紐体引出部の側壁部にそれぞれ孔部を設け、これらの孔部から前記紐体をループ状に引き出し可能としたことを特徴とする請求項１に記載のペット用装着具。
【請求項３】
前記３つのループ部の少なくとも１つの前記紐体に、チューブ体を挿通することを特徴とする特徴とする請求項１又は２に記載のペット用装着具。
【発明の詳細な説明】
【技術分野】
【０００１】
本発明は、ペットを散歩させる際に装着するペット用装着具に関するものである。
【背景技術】
【０００２】
飼主が犬を散歩させる際には、首輪などの使用が義務付けられていることから、長さを自在に調整できるリード部を首輪に連結することが多い。
【０００３】
また、例えば特許文献１、２に示すように、首輪と共に、或いは首輪の代りに、胴体に装着するハーネスタイプのものも知られている。
【先行技術文献】
【特許文献】
【０００４】
【特許文献１】実用新案登録第３０７９１８３号公報
【特許文献２】実用新案登録第３１８７９９８号公報
【発明の概要】
【発明が解決しようとする課題】
【０００５】
ペットに常時、首輪やハーネスを装着することは種々の問題を有している。例えば、ペットに常時、首輪やハーネスを装着すると、その装着部分が常に擦れ、皮膚や毛並みが傷むと共に、ペットにとっても大きなストレスを与えてしまう。
【０００６】
従って、近年では室内で飼育されている小型犬等のペットには、屋内では首輪を装着せず、外出時や散歩時にのみ首輪やハーネスを装着した上で、リード部を連結し散歩を行う飼主が増えている。
【０００７】
また、首輪の場合には、きつく締め過ぎるとペットにとって苦痛となるため、或る程度の余裕をもって装着するが、その調整が不適切な場合には首から外れてしまうことがあるので、同時に両前脚部をも固定するハーネスが使用されている。更に、首輪やハーネスはベルト状部材を使用するため、高価となる問題点もある。
【０００８】
本発明の目的は、上述の課題を解消し、簡便な紐体を主体とし、散歩中にペットから外れることがなく、首部、前脚部に対し容易に着脱することが可能なペット用装着具を提供することにある。
【課題を解決するための手段】
【０００９】
上記目的を達成するための本発明に係るペット用装着具は、紐体引出部と１本の紐体とから成り、前記紐体の一端を前記紐体引出部内に固定し、前記紐体引出部からペットの首部、両前脚部にそれぞれ装着するための３つのループ部をそれぞれ引き出し可能としたペット用装着具であって、前記紐体引出部は、蓋部と側壁部とから成り、前記側壁部から前記３つのループ部をそれぞれ引き出し可能とし、前記蓋部又は側壁部から前記紐体の他端を外側に延出したことを特徴とする。
【発明の効果】
【００１０】
本発明に係るペット用装着具によれば、紐体を用いて簡便にペットの首部、両前脚部に装着でき、ペットの行動を制御することができる。
【図面の簡単な説明】
【００１１】
【図１】実施例のペット用装着具の表側から見た斜視図である。
【図２】裏側から見た斜視図である。
【図３】ペット用装着具をペットに装着した状態の説明図である。
【図４】他の使用状態の説明図である。
【図５】更に他の使用状態の説明図である。
【発明を実施するための形態】
【００１２】
本発明を図示の実施例に基づいて詳細に説明する。
図１は実施例のペット用装着具１を表側から見た斜視図、図２は裏側から見た斜視図であり、ペット用装着具１は、紐体引出部２と、紐体引出部２内に通す１本の紐体３から構成されている。なお、紐体引出部２は、例えば、合成樹脂等の適宜の材料で成形され、紐体３は木綿、合成樹脂、皮革等から成るロープやワイヤ等が用いられている。
【００１３】
紐体引出部２内に１本の紐体３を挿通し、ペットの首部及び両前脚部にそれぞれ装着して装着する３つのループ部３ａ〜３ｃを紐体引出部２からループ状にして引き出している。紐体３の径は、ペットの大きさに合わせて、例えば直径５〜１０ｍｍ程度とされている。
【００１４】
紐体引出部２は短円筒体とされ、上面は蓋部２ａとされ下面は開放され、周囲は側壁２ｂとされている。また、紐体引出部２の蓋部２ａには１個の孔部２ｃが設けられ、側壁２ｂには７個の孔部２ｄ〜２ｊが穿けられている。なお、孔部２ｄと２ｅ、孔部２ｆと２ｇ、孔部２ｈと２ｉはそれぞれ近接して設けられ、孔部２ｄ、２ｅは前方に、孔部２ｆ、２ｇは左側方に、孔部２ｈ、２ｉは右側方に配置され、孔部２ｊは後方に配置されている。
【００１５】
そして、紐体３の先端が紐体引出部２の蓋部２ａの孔部２ｃから内部に引き込まれ、紐体引出部２の前方の孔部２ｄから一旦外側に引き出す。この引き出した紐体３に、可撓性を有し例えば合成樹脂から成る管状のチューブ体４を挿通する。次いで、孔部２ｄに隣設する孔部２ｅから紐体３の先端を再び紐体引出部２内に引き入れることにより、ループ部３ａを形成する。
【００１６】
なお、このループ部３ａはペットの首部に対して装着させるものであり、後述するループ部３ａのみをペットに装着する使用形態を考慮して、簡単に紐体３の長さ調整を可能にするように最初に形成されるループ部３ａをペットの首部用として使用する。
【００１７】
また、チューブ体４の内径は、チューブ体４に紐体３を挿通した際に摺動し難い程度の大きさが好ましく、後述するループ部３ｂ、３ｃにもチューブ体４を設けるようにしてもよい。また、チューブ体４の外径は孔部２ｄ、２ｅの径よりも大きくされている。
【００１８】
このようにすることで、紐体３を引いた際に、チューブ体４が孔部２ｄ、２ｅに引っ掛かるので、ループ部３ａの長さがチューブ体４の長さより短くなることはない。ペットの首部の大きさに応じて、予めチューブ体４の長さを適宜に調整したものを用いることが好ましい。
【００１９】
続いて、紐体３の先端を紐体引出部２の左側方の孔部２ｆから外側に一旦引き出した後に、紐体引出部２の外側から孔部２ｆに隣設する孔部２ｇに引き入れることにより、紐体引出部２の外側にループ部３ｂを形成する。更に、紐体３の先端を紐体引出部２の右側方の孔部２ｈから一旦外側に引き出した後に、孔部２ｈに隣設する孔部２ｉに引き入れることによってループ部３ｃを形成する。その後に、引き入れた紐体３の先端に結び玉３ｄを形成することにより、結び玉３ｄを孔部２ｉに固定し、紐体３が紐体引出部２から抜け出すことを防止する。
【００２０】
更に、紐体引出部２の孔部２ｃから外部に延出されている紐体３の他端を、飼主が持つようになっている。なお、孔部２ｊは予備であり、蓋部２ａに設けた孔部２ｃを使用しない場合に、紐体３の他端を挿通する。なお、孔部２ｊを使用する場合には、蓋部２ａを省略し、紐体引出部２は環状とすることもできる。
【００２１】
このようなペット用装着具１を、図３に示すように紐体引出部２の蓋部２ａを上に向けてペットＰに装着する。この装着に際しては、紐体引出部２の内部において、紐体３を紐体引出部２内に出し入れしてループ部３ａ〜３ｃの大きさを調整し、それぞれをペットＰの首部、両前脚部に対し、簡便に装着することができる。
【００２２】
ペットＰの首部に装着するループ部３ａの紐体３には、チューブ体４が挿通されていることから、紐体３がペットＰの首部に喰い込むことが防止される。つまり、不時にループ部３ａの大きさを小さくする力が加わっても、ループ部３ａが所定の大きさまで狭まると、チューブ体４が紐体引出部２の孔部２ｄ、２ｅに当接することにより、ループ部３ａがそれ以上に小さくならず、ペットＰの首部を絞めることはない。
【００２３】
このように、本実施例に示すペット用装着具１を用いることにより、ペットＰの首部、両前脚部の３個所にループ部３ａ〜３ｃをそれぞれ装着しているので、通常の首輪のような細かな調整をしなくとも外れる虞れはない。
【００２４】
なお、ペットＰからペット用装着具１を取り外す際には、ループ部３ａ〜３ｃを外側に引っ張って開拡して緩めることにより、ペットＰの首部、両前脚部から簡便に取り外すことができる。
【００２５】
なお、実施例においては、ループ部３ａは２つの孔部２ｄ、２ｅを用いたが、チューブ体４をループ部３ａの紐体３に挿通しておけば、ループ部３ａが紐体引出部２内に引き込まれることはないので、必ずしも２つの孔部２ｄ、２ｅを用いずに、１つの孔部を用いてもよい。なお、ループ部３ｂ、３ｃにチューブ体４を挿通するようにした場合には、ループ部３ｂ、３ｃ用の孔部は２個ずつ設けなくともよい。
【００２６】
また図４に示すように、全てのループ部３ａ〜３ｃを使用せずに、首部に対するループ部３ａのみを使用し、両前脚に対してはループ部３ｂ、３ｃを使用せずに両前脚には装着しない場合もある。この場合には、ループ部３ｂ、３ｃは紐体引出部２の外側に引き出さずに側壁２ｂの外側に密着しておけばよい。
【００２７】
更に、図５においては、ループ部３ｂ、３ｃをペットＰの両前脚部に装着するようにし、ループ部３ａはチューブ体４を挿通することなく、紐体引出部２の側壁２ｂの外側に密着している。この場合には、首部には紐体３を装着することなく、両前脚部のみにループ部３ｂ、３ｃを装着する。
【００２８】
実施例の紐体引出部２は短円筒状の形状としたが、例えば楕円状、角筒状、球状等であってもよい。また、紐体引出部２は実施例に対して、上下を反転して使用することもできる。
【００２９】
更に、紐体引出部２を透明な材料とし、紐体引出部２の内側に、連絡先やペット登録番号等の情報を記載した表示部を設けることもできる。
【符号の説明】
【００３０】
１  ペット用装着具
２  紐体引出部
２ａ  蓋部
２ｂ  側壁
２ｃ〜２ｊ  孔部
３  紐体
３ａ〜３ｃ  ループ部
３ｄ  結び玉
４  チューブ体
【要約】
【課題】１本の紐体を用いて、ペットに対して、外れ難くかつ簡便に着脱できるペット用装着具を得る。
【解決手段】１本の紐体３の一端を紐体引出部２内で固定し、紐体引出部２の側壁から孔部を介して３組のループ部３ａ〜３ｃをループ状に外側に引き出し、ループ部３ａにはチューブ体４を挿通してペットの首部に装着し、ループ部３ｂ、３ｃを両前脚部に装着する。紐体３の他端は孔部２ｃから紐体引出部２の外部に延出して飼主が持ち、ペットの行動を制御する。
【選択図】図１【図１】
0005817946.tif 000002
【図２】
0005817946.tif 000003
【図３】
0005817946.tif 000004
【図４】
0005817946.tif 000005
【図５】
0005817946.tif 000006